(57)【要約】【課題】試剤を希釈または濃縮することなく、試剤に含まれている成分の測定値を測定系の検出範囲内に収め、成分測定を定量的に行う。【解決手段】試剤を格納するとともに、前記格納された試剤中の成分に対して光を照射することにより前記試剤中の成分を測定する測定部を備え、前記光の透過方向における前記測定部の深さが異なっていることを特徴とする測定用器具を提供する。【選択図】図１
2015215164.tif 000002
【特許請求の範囲】
【請求項１】
試剤中の成分を測定するための測定用器具であって、
前記試剤を格納するとともに、前記格納された試剤中の成分に対して光を照射することにより前記試剤中の成分を測定する測定部を備え、
前記光の透過方向における前記測定部の深さが異なっていることを特徴とする測定用器具。
【請求項２】
前記測定部は、前記測定部の深さ方向と略平行な方向に、前記深さが異なる測定部に格納された複数の試剤がそれぞれ混じり合わないための隔壁を備えていることを特徴とする請求項１に記載の測定用器具。
【請求項３】
前記測定部の最浅部の深さをＴｓ、前記測定部の最深部の深さをＴｄとしたとき、
５  ≦  Ｔｄ／Ｔｓ  ≦  ５０００
の関係を満たしていることを特徴とする請求項１または２に記載の測定用器具。
【請求項４】
前記測定部の前記試剤を格納するための空間を取り囲む壁面のうちの少なくとも一面が、略同一平面上に形成されていることを特徴とする請求項１〜３の何れか１項に記載の測定用器具。
【請求項５】
同一の深さを有する溝または貫通孔が形成されている基板と、
前記溝または貫通孔の少なくとも一部と重なり合う位置に貫通孔が形成されている、少なくとも１つ以上の基板と、を含み、
前記溝および前記貫通孔によって前記測定部が形成されていることを特徴とする請求項１〜４の何れか１項に記載の測定用器具。
【請求項６】
前記測定部に連結され、前記測定部へ前記試剤を導入するための試剤導入部と、
前記測定部に連結され、前記測定部から前記試剤を導出するための試剤導出部と、を備えていることを特徴とする請求項１〜５の何れか１項に記載の測定用器具。
【請求項７】
前記試剤は、液体であり、
前記測定部の前記試剤を格納するための空間を取り囲む壁面が、該壁面と接触する前記試剤に対して親液性であり、
前記試剤導出部の前記試剤と接触する少なくとも一部の領域が、前記試剤に対して撥液性であることを特徴とする請求項６に記載の測定用器具。
【請求項８】
前記試剤導入部は、前記測定部に試剤を導入するための試剤導入孔と、前記試剤導入孔と前記測定部とを連結する試剤導入路と、からなり、
前記試剤の前記試剤導入路内での移送方向と直交する方向における、前記試剤導入路の断面の形状が、前記試剤導入路と前記試剤導入孔との接続端から、前記試剤導入路と前記測定部との接続端に向かって逆テーパー形状であることを特徴とする請求項６または７に記載の測定用器具。
【請求項９】
前記測定部は、前記測定部の深さ方向と略平行な方向に、前記深さの異なる測定部に格納された複数の試剤がそれぞれ混じり合わないための隔壁を備えており、
前記試剤導入部は、前記測定部に試剤を導入するための試剤導入孔と、前記試剤導入孔と前記測定部とを連結する試剤導入路と、からなり、
前記試剤導入路は、分岐構造を有し、
前記分岐した前記試剤導入路の各々は、前記深さの異なる測定部の各々に連結していることを特徴とする請求項６〜８の何れか１項に記載の測定用器具。
【請求項１０】
前記試剤導入部は、前記測定部に試剤を導入するための試剤導入孔と、前記試剤導入孔と前記測定部とを連結する試剤導入路と、からなり、
前記試剤導入路には、前記試剤中の成分を前記測定部で測定可能な状態にするための前処理剤を導入するための前処理路が連結されていることを特徴とする請求項６〜９の何れか１項に記載の測定用器具。
【請求項１１】
前記試剤中の成分が、生体分子であることを特徴とする請求項１〜１０の何れか１項に記載の測定用器具。
【請求項１２】
前記試剤中の成分が、粒子であることを特徴とする請求項１〜１０の何れか１項に記載の測定用器具。
【請求項１３】
前記試剤中の成分が、少なくとも２種類以上の粒子であり、
前記２種類以上の粒子の何れか２種類の粒子の濃度が異なることを特徴とする請求項１２に記載の測定用器具。
【請求項１４】
前記測定部の相対的に浅い領域が、前記粒子のうち、相対的に濃度の高い粒子を測定するための領域であり、
前記測定部の相対的に深い領域が、前記粒子のうち、相対的に濃度の低い粒子を測定するための領域であることを特徴とする請求項１３に記載の測定用器具。
【請求項１５】
前記相対的に濃度の高い粒子の濃度をＣ１、該粒子の最大直径をＤ１とし、前記相対的に濃度の低い粒子の濃度をＣ２、該粒子の最大直径をＤ２とし、前記測定部の相対的に浅い領域の深さをＴ１、前記測定部の相対的に深い領域の深さをＴ２としたとき、
Ｔ１≧Ｄ１  かつ、
Ｔ２≧Ｄ２  かつ、
０．０１≦（Ｔ２／Ｔ１）／（Ｃ１／Ｃ２）≦１０
の関係を満たすことを特徴とする請求項１４に記載の測定用器具。
【請求項１６】
前記試剤は、前記粒子と溶媒とを含み、
前記粒子の前記溶媒に対する比重が、１よりも大きいことを特徴とする請求項１２〜１５の何れか１項に記載の測定用器具。
【請求項１７】
前記粒子が細胞であることを特徴とする請求項１２〜１６の何れか１項に記載の測定用器具。
【請求項１８】
前記細胞が血球であることを特徴とする請求項１７に記載の測定用器具。
【請求項１９】
前記相対的に濃度の低い粒子が白血球であり、前記相対的に濃度の高い粒子が赤血球または血小板であることを特徴とする請求項１３〜１５の何れか１項に記載の測定用器具。
【請求項２０】
前記試剤中に赤血球が含まれており、
前記前処理剤が、赤血球を溶血する溶血剤を含むことを特徴とする請求項１０に記載の測定用器具。
【請求項２１】
請求項１〜２０の何れか１項に記載の測定用器具の前記測定部に格納された前記試剤中の成分に光を照射するための光源と、
前記成分から発せられる光、または、前記成分へ照射された光の照射前後の変化、を検出するための検出素子と、を備えていることを特徴とする、試剤中の成分を光学的に測定するための測定装置。
【請求項２２】
前記光源と前記測定部との間の位置に備えられた、前記測定部に対して光を集光するための第１の集光素子、および、
前記測定部と前記検出素子との間の位置に備えられた、前記検出素子に対して光を集光するための第２の集光素子、の少なくとも一方が備えられていることを特徴とする請求項２１に記載の測定装置。
【請求項２３】
前記試剤中の成分が粒子であり、
前記第１の集光素子の焦点位置および前記第２の集光素子の焦点位置の少なくとも一方が、前記測定部の前記試剤を格納するための空間を取り囲む壁面のうちの少なくとも一面から前記測定部に格納された粒子の方向への距離が、前記粒子の最大直径以下の位置であることを特徴とする請求項２２に記載の測定装置。
【請求項２４】
前記検出素子が、マルチピクセル検出器であることを特徴とする請求項２１〜２３の何れか１項に記載の測定装置。
【請求項２５】
前記測定部の一部または全部を測定するためのスキャン機構を備えていることを特徴とする請求項２１〜２４の何れか１項に記載の測定装置。
【請求項２６】
前記測定部の深さが異なっている複数の領域における前記成分の測定信号と、予め取得しておいた測定装置が測定可能な信号の範囲とを比較し、前記予め取得しておいた信号の範囲内にある前記測定信号を、前記成分の測定値として算出する第１の演算素子を備えていることを特徴とする請求項２１〜２５の何れか１項に記載の測定装置。
【請求項２７】
前記試剤中の成分が粒子であり、
前記検出素子によって測定した粒子の個数と、前記検出素子が測定した領域の体積とから、前記試剤中に含まれる粒子の濃度を算出する第２の演算素子を備えていることを特徴とする請求項２１〜２６の何れか１項に記載の測定装置。
【発明の詳細な説明】
【技術分野】
【０００１】
本発明は、試剤中に含まれている成分を測定するための測定部を備えた測定用器具、および、該測定用器具を使用して測定を行う測定装置に関する。より詳細には、深さの異なる測定部を備えた測定用器具、および、該測定用器具を使用して測定を行う測定装置に関する。
【背景技術】
【０００２】
生化学分析等の分野においては、例えば血液、尿、唾液等に含まれている成分を測定するために、種々の測定用器具および測定装置が用いられている。また、医薬品、食品に対する異物混入の検査、水道水、工業排水のモニタリング等のために、様々な試剤中の成分の測定が行われている。
【０００３】
試剤中の成分の測定のために利用される測定用器具としては、例えば血液中に含まれる赤血球、白血球、血小板等を測定するための血球計算盤が挙げられる。
【０００４】
特許文献１には、格子状に設けられた目盛りにより、観察対象物の数を算出するための計数部を有する本体と、カバーとを有する計数盤が記載されている。該計数盤は、カバーを本体に対して位置決めおよび固定するための係止部材を有している。
【０００５】
また、特許文献２には、血球計数目盛りを有してなる計算板本体と、該計算板本体に対して接着剤で固定されている観察プレートと、を備えてなる血球計算板が記載されている。該血球計算板では、計算板本体と観察プレートとを、近接した配置であって平行かつ一定の間隔をあけた配置に維持するために、接着剤にスペーサが混入されている。
【０００６】
特許文献３には、生体液試料内の特定要素を計数するための装置であって、略均一な高さで互いに分離された２つの平面部材を備えた装置が記載されている。該装置では、前記高さが、生体液試料を導入すると特定要素が不均一に分布するような高さとなっている。
【０００７】
また、試剤中の成分の測定のための技術としては、血球計算盤のほかにも以下のような技術が挙げられる。
【０００８】
特許文献４には、プレート表面に、平坦な底面を有するウェルが形成された解析用容器が記載されている。該解析用容器は、前記ウェルの底面および側面が同じ材質からなり、耐熱性を有している。
【０００９】
さらに、特許文献５には、手動で調節可能な２つのセル部分を備えたサンプルセルが記載されている。該サンプルセルは、セル部分を相互にスライド運動させることによって、分析物の測定に適した第１位置とサンプル経路の洗浄に適した第２位置とをとることができる。
【先行技術文献】
【特許文献】
【００１０】
【特許文献１】特開２０１０−１０１８６９号公報（２０１０年５月６日公開）
【特許文献２】特開平１１−１６０３１０号公報（１９９９年６月１８日公開）
【特許文献３】特表２００９−５１２８５９号公報（２００９年３月２６日公開）
【特許文献４】特開２０１０−３２４８７号公報（２０１０年２月１２日公開）
【特許文献５】特開２００２−５１４７５３号公報（２００２年５月２１日公開）
【発明の概要】
【発明が解決しようとする課題】
【００１１】
しかしながら、上述のような従来技術は、試剤に含まれている成分の濃度が高い場合または低い場合には、試剤を希釈または濃縮しなければ前記成分の測定信号が測定系の測定可能な信号の範囲内に収まらず、成分測定を定量的に行うことができないという問題がある。
【００１２】
試剤に含まれている成分の測定は、例えば前記成分の測定信号が測定部の深さに比例して大きくなる測定系（例えば透過光測定）で行われる。試剤中の濃度が未知である成分を測定する場合、測定部の深さが略均一であると、前記成分の濃度によっては前記成分の測定信号が測定系の測定可能な信号の範囲内に収まらない。すなわち、高濃度の成分を含む多量の試剤が測定部に導入された場合、前記成分の測定信号が、測定系の測定可能な信号の範囲の上限を超える虞がある。また、低濃度の成分を含む少量の試剤が導入された場合は、前記成分の測定信号が、測定系の測定可能な信号の範囲の下限を下回る虞がある。いずれの場合も、定量的な測定を行うためには、試剤を希釈または濃縮する必要があり、測定が煩雑になる。
【００１３】
さらに具体的に言えば、従来の粒子測定用器具（例えば血球計数盤）は、測定部を２個備えているものもあるが、該測定部の深さは同一である（例えば０．１ｍｍ）。例えば、血液中における赤血球と白血球との濃度比は１０００：１であるため、赤血球を測定するためには血液を大量（例えば体積比２００倍）の希釈液で希釈し、白血球を測定するためには血液を少量（例えば体積比１０倍）の希釈液（染色液）で希釈した後、各希釈物の一部を採取し、２つの測定部（例えば容積１０μＬ）にそれぞれ導入し、測定する。希釈物中の赤血球数は多いため、測定部内の一領域を測定後、濃度換算すれば計数精度が保たれる。しかし、血液中の白血球数は赤血球数に比べて少なく、それ故に希釈物中の白血球数も少ないため、計数精度を保つためには測定部内の広い領域を測定する必要があった。
【００１４】
特許文献１〜５には、上述のような試剤を希釈または濃縮することなく、試剤に含まれている成分の測定信号を測定系の測定可能な信号の範囲内に収めることが可能な構成が何ら提案されていない。
【００１５】
本発明は上記の問題点に鑑みてなされたものであって、その目的は試剤を希釈または濃縮することなく、試剤に含まれている成分の測定信号を測定系の測定可能な信号の内に収めることが可能であり、成分測定を定量的に行うことができる測定用器具および測定装置を提供することにある。
【課題を解決するための手段】
【００１６】
本発明に係る測定用器具は、上記の課題を解決するために、試剤中の成分を測定するための測定用器具であって、前記試剤を格納するとともに、前記格納された試剤中の成分に対して光を照射することにより前記試剤中の成分を測定する測定部を備え、前記光の透過方向における前記測定部の深さが異なっていることを特徴としている。
【発明の効果】
【００１７】
本発明に係る測定用器具は、上述のように、試剤を格納するとともに、前記格納された試剤中の成分に対して光を照射することにより前記試剤中の成分を測定する測定部を備え、前記光の透過方向における前記測定部の深さが異なっている。
【００１８】
そのため、濃度が未知である成分であっても、成分の濃度が高い場合は測定部の浅い領域で、逆に、成分の濃度が低い場合は測定部の深い領域で測定することで、測定系の測定可能な信号の範囲内に前記成分の測定信号を収めることができ、試剤中の成分を定量的に測定することができるという効果を奏する。
【００１９】
また、試剤を測定系の測定可能な範囲に合うように希釈または濃縮処理する必要がなく、試剤を測定部に導入するだけで、成分の定量的な測定が可能となるという効果を奏する。
【図面の簡単な説明】
【００２０】
【図１】（ａ）は第１の実施形態に係る測定用器具の上面図であり、（ｂ）〜（ｆ）は（ａ）の点線Ａ−Ａ’における断面図であって測定部の変形例を示す図である。（ｇ）は測定部の深さが同一である測定用器具を示す断面図である。
【図２】（ａ）は第１の実施形態に係る測定用器具の上面図であり、（ｂ）〜（ｄ）は（ａ）の点線Ａ−Ａ’における断面図であって測定部の変形例を示す図である。
【図３】第１の実施形態に係る測定用器具の測定部の変形例を示す上面図である。
【図４】第１の一実施形態に係る測定用器具の作製方法の例を示す概略図である。
【図５】第１の一実施形態に係る測定用器具の作製方法の例を示す概略図である。
【図６】第２の実施形態に係る測定用器具の試剤導入部および試剤導出部の変形例を示す上面図である。
【図７】第２の実施形態に係る測定用器具の試剤導入部および試剤導出部の変形例を示す上面図である。
【図８】（ａ）は第２の実施形態に係る測定用器具を示す上面図である。（ｂ）〜（ｄ）は第２の実施形態に係る測定用器具を用いた試剤の導入方法を示す概略図である。
【図９】（ａ）は第２の測定用器具の上面図であり、（ｂ）〜（ｄ）は（ａ）の点線Ｂ−Ｂ’における断面図であって試剤導入部および試剤導出部の変形例を示す図である。
【図１０】（ａ）は図９の（ｂ）に係る測定用器具に粒子を導入した例を示す概略図である。（ｂ）は図９の（ｃ）に係る測定用器具に粒子を導入した例を示す概略図である。
【図１１】第３の実施形態に係る測定用器具の前処理路の変形例を示す上面図である。
【図１２】（ａ）および（ｃ）は第１の実施形態に係る測定用器具を用いた測定方法を示す概略図であり、（ｂ）は（ａ）における測定結果を示す図であり、（ｄ）は（ｃ）における測定結果を示す図である。
【図１３】（ａ）および（ｃ）は第１の実施形態に係る測定用器具を用いた測定方法を示す概略図であり、（ｂ）は（ａ）における測定結果を示す図であり、（ｄ）は（ｃ）における測定結果を示す図である。
【図１４】第１の実施形態に係る測定用器具を用いた測定方法を示す概略図である。
【図１５】第４の実施形態に係る測定装置の変形例を示す概略図である。
【図１６】第４の実施形態に係る測定装置の変形例を示す概略図である。
【図１７】第４の実施形態に係る測定装置の変形例を示す概略図である。
【図１８】第５の実施形態に係る測定装置の変形例を示す概略図である。
【図１９】第５の実施形態に係る測定装置の変形例を示す概略図である。
【図２０】第５の実施形態に係る測定装置の変形例を示す概略図である。
【図２１】第６の実施形態に係る測定装置の変形例を示す概略図である。
【発明を実施するための形態】
【００２１】
以下、本発明の実施の形態の一例について詳細に説明するが、本発明は、これらに限定されない。なお、説明の便宜上、同じ機能を有する部材については、同じ符号を付記し、その説明を省略する。
【００２２】
〔第１の実施形態〕
本発明の第１の実施形態について図１〜図５に基づいて説明する。
【００２３】
＜測定用器具１０＞
図１の（ａ）は、本発明に係る測定用器具１０を示す平面図である。測定用器具１０は試剤中の成分を測定するための測定用器具であって、図１の（ａ）に示すように、測定部１を備えている。
【００２４】
本明細書において「試剤」とは、測定の対象となる成分を含んでいる物質を意味する。前記試剤は流体であることが好ましく、液体であることがより好ましい。前記構成によれば、試剤を測定用器具１０に容易に導入することができる。
【００２５】
本明細書において「成分」とは、試剤中に含まれ、測定の対象となる物質である。測定の対象となる成分の例としては特に限定されないが、例えば生体分子が挙げられる。前記構成によれば、本発明の測定用器具を試剤中の生体分子の測定に用いることができる。生体分子としては、例えば核酸、タンパク質、糖等が挙げられる。また前記成分は、粒子であってもよい。前記構成によれば、本発明の測定用器具を試剤中の粒子の測定に用いることができる。粒子としては、例えば細胞等が挙げられる。細胞の例としては、赤血球、白血球、血小板等の血球が挙げられる。
【００２６】
また前記試剤中の成分は、少なくとも２種類以上の成分であってもよく、前記２種類以上の成分の何れか２種類の成分の濃度が異なっていてもよい。また、前記少なくとも２種類以上の成分は粒子でもよく、前記２種類以上の粒子の何れか２種類の粒子の濃度が異なっていてもよい。前記構成によれば、本発明の測定用器具を、例えば、血液中の赤血球と白血球といった、濃度が大きく異なる２種類以上の粒子を含む試剤の測定に用いることができる。
【００２７】
＜測定部１＞
測定部１は、前記試剤を格納するとともに、前記格納された試剤中の成分に対して光を照射することにより前記試剤中の成分を測定するものである。
【００２８】
測定部１は、前記光の透過方向における深さが異なっている。前記構成によれば、濃度が未知である成分であっても、成分の濃度が高い場合は測定部の相対的に浅い領域で、逆に、成分の濃度が低い場合は測定部の相対的に深い領域で測定することで、測定系の測定可能な信号の範囲内に前記成分の測定信号を収めることができ、試剤中の成分を定量的に測定することができる。そして、それ故に、試剤を測定系の検出範囲に合うように希釈または濃縮処理する必要がなく、試剤を測定部に導入するだけで、成分の定量的な測定が可能となる。測定用器具１０を用いた測定方法の詳細は後述する。
【００２９】
また、本明細書において「深さが異なっている」とは、前記測定部の最浅部の深さをＴｓ、前記測定部の最深部の深さをＴｄとしたとき、ＴｓとＴｄとが明確に異なることを意味する。具体的には、測定部１では、
５  ≦  Ｔｄ／Ｔｓ  ≦  ５０００
の関係を満たしていることが好ましい。前記構成によれば、測定部の深さを大きく変化させることになる（換言すれば、非常に浅い領域と、非常に深い領域との両方を兼ね備えた測定部となる）。それ故に、試剤中に含まれる成分の濃度の範囲が広い場合であっても、試剤中に濃度差の大きい２つの成分が含まれている場合であっても、１つの測定用器具で確実に測定することができる。
【００３０】
図１の（ｂ）〜（ｆ）は、図１の（ａ）の点線Ａ−Ａ’における断面図であり、測定部１の変形例を示している。本実施形態では、測定部１は、基板１０１および１０２を貼り合せることで形成されている。測定部１には、測定のために基板１０１側または基板１０２側から光が照射される。測定部１は例えば図１の（ｂ）に示すように、光の透過方向における深さが相対的に浅い領域と深い領域とを１つずつ有していてもよい。なお、本明細書では、光の透過方向における深さ、光の透過方向における深さが相対的に浅い領域、および、光の透過方向における深さが相対的に深い領域をそれぞれ単に「深さ」、「浅い領域」、「深い領域」とも称する。
【００３１】
測定部１は、深さが異なる領域を３つ以上有していてもよい。すなわち、例えば図１の（ｃ）に示すように、測定部１の前記試剤を格納するための空間を取り囲む壁面のうちの少なくとも一面が、階段状になっていてもよい。また、例えば図１の（ｄ）に示すように、測定部１の深さが滑らかに変化していてもよい。
【００３２】
また、測定部１の前記試剤を格納するための空間を取り囲む壁面のうちの少なくとも一面が、略同一平面上に形成されていてもよい。前記構成によれば、試剤中の成分を略同一平面上に配置させることができるため、測定部の深さ方向の一部で測定を行う場合に、測定部の深さ方向における観察点の位置の違いによる誤差を生じず、精度の高い測定ができる。なお、以下では測定部の「前記試剤を格納するための空間を取り囲む壁面」を単に測定部の「壁面」と称する場合もある。
【００３３】
ここで、前記「壁面のうちの少なくとも一面」は、深さ方向に垂直な一面であることが好ましい。また、本明細書では、深さ方向と重力方向とが平行である場合、壁面のうちの深さ方向に垂直な一面であって、重力方向下側の一面を「底面」と称し、重力方向上側の一面を「上面」と称する場合もある。例えば図１の（ｅ）に示すように底面が略同一平面上に形成されている場合、試剤中の成分を測定部導入後に重力に従って沈降させ、略同一平面（測定部底面）上に配置させることができるため、測定部の深さ方向における観察点の位置の違いによる誤差を生じず、精度の高い測定ができる。
【００３４】
本明細書において、測定部１の「前記試剤を格納するための空間を取り囲む壁面のうちの少なくとも一面が、略同一平面上に形成されている」とは、前記少なくとも一面上の任意の１点ａを含む平面であって深さ方向に垂直な面Ａと、前記少なくとも一面上のａとは別の任意の１点ｂを含む平面であって深さ方向に垂直な面Ｂとの間の距離Ｌが１ｎｍ以上１ｍｍ以下であることを意味する。好ましくは、測定部１の前記試剤を格納するための空間を取り囲む壁面のうちの少なくとも一面は、同一平面上に形成されている。試剤中の成分が粒子の場合は、粒子径をｄとしたとき、上記距離Ｌは１ｎｍ以上、距離ｄ以下であることが好ましい。このとき、粒子が細胞の場合は、距離ｄは数〜数十μｍの値となる。測定に集光素子（後述）を使う場合は、上記距離Ｌの上限値は、集光素子の焦点深度ｃと粒子径ｄから算出される被写界深度Ｃ以下であることが好ましく、更には上記距離Ｌの上限値は上記集光素子の焦点深度ｃ以下であることが好ましい。
【００３５】
さらに、例えば図１の（ｆ）に示すように、測定部１は浅い領域の周囲に深い領域を有していてもよい。例えば、測定部１において、深い領域の中央に浅い領域が設けられていてもよく、深い領域と浅い領域とが列状に交互に設けられていてもよい。
【００３６】
図１の（ｇ）は、測定部１の深さが同一である測定用器具であって、本発明には含まれない測定用器具を示す断面図である。図１の（ｇ）において測定部１が有する深さの差は例えば測定部１の成形時のばらつき等によって生じるものである。図１の（ｇ）では、測定部１の最浅部の深さＴｓと測定部１の最深部の深さＴｄとは明確に異なるものではなく、例えば、Ｔｄ／Ｔｓ  ＜  １．１である。
【００３７】
測定部１は、図２の（ａ）〜（ｄ）に示すように、測定部１の深さ方向と略平行な方向に、前記深さが異なる測定部に格納された複数の試剤がそれぞれ混じり合わないための隔壁２を備えていてもよい。前記構成によれば、隔壁によって、測定部が複数の空間に分割されている。それ故に、測定前に成分の濃度範囲が分かっている場合には所定の深さの測定部にのみ試剤を導入すればよく、これによって、試剤量を低減することができる。また、２種類以上の試剤を測定する場合には、測定時に、試剤同士が干渉し合うこと（例えば、混合すること）を防ぐことができる。
【００３８】
本明細書において「深さ方向と略平行」とは、測定部１の深さ方向と隔壁とが交わってなす角度のうち、小さい方の角度が０°以上４５°未満であることを示す。前記小さい方の角度は０°である（すなわち、測定部１の深さ方向と隔壁とが平行である）ことがより好ましい。
【００３９】
また、「深さが異なる測定部に格納された複数の試剤」は、異なる試剤であってもよいし、同一の試剤であってもよい。すなわち、隔壁２によって隔てられた深さが異なる測定部に同一の試剤が導入されていてもよい。前記構成によれば、同一の種類の試剤であっても混じり合うことを防ぐことができる。
【００４０】
図２の（ａ）は隔壁２を備えた測定用器具１０の上面図である。図２の（ａ）では、測定用器具１０の測定部の浅い領域１ｓと深い領域１ｄとが、隔壁２によって隔てられている。図２の（ｂ）〜（ｄ）は、図２の（ａ）の点線Ａ−Ａ’における断面図であり、浅い領域１ｓおよび深い領域１ｄの変形例を示している。
【００４１】
隔壁２を備えていない場合と同様に、測定部の壁面のうちの少なくとも一面が略同一平面上にあってもよい。例えば、図２の（ｂ）に示すように、浅い領域１ｓおよび深い領域１ｄの底面が略同一平面上にあってもよい。前記構成によれば、試剤中の成分を測定部導入後に重力に従って沈降させ、該成分を同一平面（測定部底面）上に配置させることができるため、測定部の深さ方向における観察点の位置の違いによる誤差を生じず、精度の高い測定ができる。また、図２の（ｃ）に示すように、浅い領域１ｓおよび深い領域１ｄの上面が略同一平面上にあってもよい。
【００４２】
また、図２の（ｄ）に示すように、浅い領域１ｓおよび深い領域１ｄのそれぞれが、さらに深さの異なる領域を有していてもよい。前記構成によれば、測定用器具が様々な深さの測定部を有するため、試剤中の成分の濃度が未知の場合であっても、試剤中に存在し得る濃度の範囲が広い成分や、濃度差の大きい２つの成分を１つの測定用器具で確実に測定することができる。
【００４３】
図３は本実施形態に係る測定用器具の測定部の変形例を示す上面図である。測定部１の上面から見た形状は特に限定されず、例えば図３の（ａ）に示すようなひし形、図３の（ｂ）に示すような円形、図３の（ｃ）に示すような楕円形であってもよい。また、測定用器具１０が２つ以上の隔壁を備えていてもよい。図３の（ｄ）には、例として、２つの隔壁によって浅い領域１ｓ、深い領域１ｄおよびさらに深い領域１ｄａが隔てられている測定用器具１０が示されている。
【００４４】
＜測定用器具１０の作製方法＞
測定用器具１０の作製方法は特に限定されず、例えば図４および５に示されている方法が挙げられる。
【００４５】
図４の（ａ）および（ｂ）は、隔壁を備えていない測定用器具１０の作製方法を示す概略図である。
【００４６】
図４の（ａ）では、基板１０２と、浅い領域１ｓおよび深い領域１ｄのそれぞれに対応する溝が形成された基板１０１とを貼り合わせて測定用器具１０を作製している。図４の（ｂ）では、同一な深さを有する溝１ｄ’が形成された基板１０１と、貫通孔１ｈが形成された基板１０３と、基板１０２とを該順番にて貼り合わせて測定用器具１０を作製している。図４の（ｂ）では貫通孔１ｈの一部が溝１ｄ’と重なり合っている。
【００４７】
図４の（ａ）または（ｂ）に示されている方法によれば、例えば図１の（ｂ）に示されている測定用器具１０を作製することができる。すなわち、図４の（ａ）では、浅い領域１ｓおよび深い領域１ｄのそれぞれに対応する溝によって測定部１が形成されている。また、図４の（ｂ）では、貫通孔１ｈおよび溝１ｄ’によって測定部１が形成されている。図４の（ａ）および（ｂ）では、基板１０２には溝が形成されていなくてもよいし、浅い領域１ｓおよび／または深い領域１ｄに対応する溝が形成されていてもよい。
【００４８】
図５の（ａ）〜（ｃ）は、隔壁を備えている測定用器具１０の作製方法を示す概略図である。
【００４９】
図５の（ａ）では、浅い領域１ｓに対応する溝および浅い領域１ｓと同一の深さの溝１ｄ’が形成された基板１０１と、溝１ｄ’と重なり合う位置に貫通孔１ｄｈが形成された基板１０３と、基板１０２とを該順番にて貼り合わせて測定用器具１０を作製している。
【００５０】
図５の（ｂ）では、基板１０４と、貫通孔１ｓｈおよび貫通孔１ｄｈ’が形成された基板１０１と、貫通孔１ｄｈ’と重なり合う位置に貫通孔１ｄｈが形成された基板１０３と、基板１０２とを該順番にて貼り合わせて測定用器具１０を作製している。
【００５１】
図５の（ｃ）では、基板１０２と、浅い領域１ｓおよび深い領域１ｄのそれぞれに対応する溝が形成された基板１０１とを貼り合わせて測定用器具１０を作製している。
【００５２】
図５の（ａ）〜（ｃ）に示されている方法によれば、例えば図２の（ｂ）に示されている測定用器具１０を作製することができる。すなわち、図５の（ａ）では、溝１ｓによって浅い領域１ｓが形成され、貫通孔１ｄｈおよび溝１ｄ’によって深い領域１ｄが形成されている。また、図５の（ｂ）では、貫通孔１ｓｈによって浅い領域１ｓが形成され、貫通孔１ｄｈおよび１ｄｈ’によって深い領域１ｄが形成されている。図５の（ｃ）では、溝１ｓによって浅い領域１ｓが形成され、溝１ｄによって深い領域１ｄが形成されている。図５の（ａ）〜（ｃ）では、基板１０２および基板１０４には溝が形成されていなくてもよいし、浅い領域１ｓおよび／または深い領域１ｄに対応する溝が形成されていてもよい。
【００５３】
前記溝および前記貫通孔の形成方法は特に限定されないが、例えば、機械加工またはレーザー加工等によって基板を掘削する方法、前記溝および／または前記貫通孔に対応する凹凸を有する金型を用いた射出成形、プレス成形、鋳造等の方法が挙げられる。
【００５４】
また、基板１０１〜１０４の材料は特に限定されないが、例えばガラス、シリコン、プラスチック等を用いることができる。
【００５５】
以上のような作製方法を用いれば、深さが大きく異なる測定部であっても、１つの測定用器具上に形成することができる。
【００５６】
〔第２の実施形態〕
本発明の第２の実施形態について図６〜図１０に基づいて説明する。本実施形態に係る測定用器具は、測定部１に連結され、測定部１へ前記試剤を導入するための試剤導入部３と、測定部１に連結され、測定部１から前記試剤を導出するための試剤導出部４と、を備えている。前記構成によれば、測定部１に試剤を効率的に導入することができる。また、測定部１に対して、試剤を連続的または繰返し供給することができ、測定精度を上げることができる。その他の構成については、第１の実施形態に係る測定用器具と同様であって、これらの構成に関する説明は省略する。
【００５７】
＜試剤導入部３および試剤導出部４＞
図６の（ａ）〜（ｃ）は本実施形態に係る測定用器具１０の試剤導入部３および試剤導出部４の変形例を示す上面図である。試剤導入部３は測定部１へ試剤を導入できる構成であればよく、また試剤導出部４は測定部１から試剤を導出できる構成であればよい。例えば、図６の（ａ）に示すように、本実施形態に係る測定用器具１０の上面から見て測定部１の断面が矩形である場合に、前記矩形断面の一辺に沿って、測定部１の内部と測定用器具１０の外部とを連結する貫通孔を測定用器具１０に形成し、前記貫通孔を試剤導入部３としてもよい。また、前記一辺の対辺に沿って、測定部１の内部と測定用器具１０の外部とを連結する貫通孔を測定用器具１０に形成し、前記貫通孔を試剤導出部４としてもよい。
【００５８】
また、試剤導入部を、測定部１に試剤を導入するための試剤導入孔５と、試剤導入孔５と測定部１とを連結する試剤導入路６と、から構成してもよい。前記構成によれば、試剤を毛管力によって測定部１へ導入することができる。同様に、試剤導出部を、測定部１から試剤を導出するための試剤導出孔７と、試剤導出孔７と測定部１とを連結する試剤導出路８と、から構成してもよい。
【００５９】
試剤導入孔５および試剤導入路６の位置は測定部１へ試剤を導入できれば特に限定されず、また、試剤導出孔７および試剤導出路８の位置は測定部１から試剤を導出できれば特に限定されない。試剤導入路６と試剤導出路８とが、光の透過方向から見て例えば図６の（ｂ）に示すように測定部１を挟んで線対称となる位置に配置されていてもよいし、図６の（ｃ）に示すように測定部１を挟んで点対称となる位置に配置されていてもよい。
【００６０】
図７の（ａ）〜（ｄ）は、本実施形態に係る測定用器具１０が隔壁を備えている場合の試剤導入部および試剤導出部の変形例を示す上面図である。測定用器具１０は、浅い領域１ｓおよび深い領域１ｄの各々に試剤を導入する試剤導入部を別々に備えていてもよいし、図７の（ａ）に示すように共通の試剤導入部３を備えていてもよい。測定用器具１０は、図７の（ａ）では、浅い領域１ｓおよび深い領域１ｄの各々から試剤を導出する試剤導出部４ａおよび４ｂを別々に備えているが、浅い領域１ｓおよび深い領域１ｄに対して共通の試剤導出部を備えていてもよい。
【００６１】
測定用器具１０が試剤導入路６を備えている場合は、試剤導入路６が分岐構造を有し、
分岐した試剤導入路６の各々が、測定部の深さの異なる領域の各々に連結していてもよい。前記構成によれば、深さの異なる２つ以上の測定部に、１つの試剤導入孔から同一の試剤を導入することができる。すなわち、測定部へ試剤を導入する工程を簡略化できる。また、「試剤導入孔の容積＞試剤導入路の容積」であるため、測定に必要な試剤の量を低減できる。試剤導入孔は、試剤を注入するための外部の機構と連結される場合があるため、ある程度の大きさ（外部の機構と連結できる程度の大きさ）が必要であり、かつ、貫通孔として形成されるため、試剤導入路よりも容積が大きい。そのため、試剤導入孔が減少した分、測定に必要な試剤の量を低減できる。さらに、２つ以上の測定部に確実に同一の組成（濃度）の試剤を導入することができる。すなわち、測定において、試剤を注入するための外部の機構を複数の試剤導入孔に接続することによる誤差を受けない。
【００６２】
試剤導入路６が分岐構造を有する場合、例えば図７の（ｂ）に示すように、浅い領域１ｓおよび深い領域１ｄの各々から試剤を導出する試剤導出孔７ａおよび試剤導出路８ａ、ならびに、試剤導出孔７ｂおよび試剤導出路８ｂが備えられていてもよい。また、例えば図７の（ｃ）に示すように、試剤導出路８が分岐構造を有し、分岐した試剤導出路８の各々が、浅い領域１ｓおよび深い領域１ｄの各々に連結していてもよい。
【００６３】
また、測定用器具１０は、深さの異なる測定部の各々に対応する試剤導入孔および試剤導入路、ならびに、試剤導出孔および試剤導出路を別々に備えていてもよい。すなわち、例えば図７の（ｄ）に示すように、試剤導入孔５ａと浅い領域１ｓとが試剤導入路６ａによって連結されており、試剤導出孔７ａと浅い領域１ｓとが試剤導出路８ａによって連結されており、試剤導入孔５ｂと深い領域１ｄとが試剤導入路６ｂによって連結されており、試剤導出孔７ｂと深い領域１ｄとが試剤導出路８ｂによって連結されていてもよい。前記構成によれば、浅い領域１ｓおよび深い領域１ｄのそれぞれに異なる試剤を導入することができる。
【００６４】
本実施形態に係る測定用器具１０は、前記試剤が液体である場合、測定部１の前記試剤を格納するための空間を取り囲む壁面が、該壁面と接触する前記試剤に対して親液性（即ち、接触角が０°以上９０°未満）であり、試剤導出部４の前記試剤と接触する少なくとも一部の領域が、前記試剤に対して撥液性（即ち、接触角が９０°以上１８０°以下）であってもよい。前記構成によれば、試剤を毛管力によって測定部に導入でき、試剤導出部での表面張力により試剤が停止するので、ポンプなどの機構を必要とせず、簡易かつ確実に測定部に試剤を導入することができる。また、測定に用いる試剤の体積を測定部の容積と確実に等しくすることができ、測定精度（濃度測定）を上げることができる。測定部１の壁面に親液性を付与する方法および試剤導出部４の少なくとも一部の領域に撥液性を付与する方法には、公知の方法を用いることができる。
【００６５】
図８の（ａ）は、測定部１の壁面が親液性であり、試剤導出部４の一部の領域が撥液性である測定用器具１０の上面図を示している。図８の（ｂ）〜（ｄ）は図８の（ａ）に係る測定用器具１０を用いた試剤２００の導入方法を示す概略図である。
【００６６】
図８の（ｂ）〜（ｄ）を用いて試剤２００の導入方法を説明する。まず、図８の（ｂ）に示すように、試剤２００を試剤導入部３に導入する。次に、図８の（ｃ）に示すように、試剤２００は壁面が親液性である測定部１の内部を進む。そして、図８の（ｄ）に示すように、試剤２００は、一部の領域が撥液性である試剤導出部４の表面張力によって、試剤導出部４の直前で停止する。
【００６７】
試剤導入部３（または試剤導入路６）は測定部１に試剤を導入できる形状であればよく、試剤導出部４（または試剤導出路８）は測定部１から試剤を導出できる形状であればよい。図９の（ａ）は本実施形態に係る測定用器具１０の上面図を示している。図９の（ｂ）〜（ｄ）は図９の（ａ）の点線Ｂ−Ｂ’における断面図であって、試剤導入部３および試剤導出部４ａ（および４ｂ）の変形例を示している。
【００６８】
図９では、測定用器具１０が隔壁を備えており、浅い領域１ｓおよび深い領域１ｄに対して共通の試剤導入部３、ならびに別々の試剤導出部４ａおよび４ｂを備えている例が示されているが、別々の試剤導入部を備える場合も共通の試剤導出部を備える場合も、例えば図９の（ｂ）〜（ｄ）と同様の形状をとることができる。また、試剤導入部３が試剤導入路６を含む場合および試剤導出部４が試剤導出路８を含む場合も上記と同様の構成をとることができる。
【００６９】
例えば試剤導入部３および試剤導出部４ａ（および４ｂ）は、図９の（ｂ）に示すように、測定部（浅い領域１ｓおよび深い領域１ｄ）と垂直に交わる構成であってもよい。また、図９の（ｃ）および（ｄ）に示すように、前記試剤の試剤導入部３（または試剤導入路６）内での移送方向と直交する方向における、試剤導入部３（または試剤導入路６）の断面の形状が、試剤導入部３の大気に開放された端部（または試剤導入路６と試剤導入孔５との接続端）から、試剤導入部３（または試剤導入路６）と測定部（浅い領域１ｓおよび深い領域１ｄ）との接続端に向かって逆テーパー形状であることが好ましい。
【００７０】
本明細書において「逆テーパー形状」とは、前記試剤の試剤導入部３（または試剤導入路６）内での移送方向と直交する方向における、試剤導入部３（または試剤導入路６）の断面の上面から見た面積が、試剤導入部３の大気に開放された端部（または試剤導入路６と試剤導入孔５との接続端）から、試剤導入部３（または試剤導入路６）と測定部１（浅い領域１ｓおよび深い領域１ｄ）との接続端に向かって大きくなっていることを意味し、以下では単に「試剤導入部（または試剤導入路）が逆テーパー形状である」とも表す。また、前記試剤の試剤導入部３（または試剤導入路６）内での移送方向と直交する方向における、試剤導入部３（または試剤導入路６）の断面の上面から見た面積は、試剤導入部３の大気に開放された端部（または試剤導入路６と試剤導入孔５との接続端）から、試剤導入部３（または試剤導入路６）と測定部１（浅い領域１ｓおよび深い領域１ｄ）との接続端に向かって、図９の（ｃ）に示すように滑らかに大きくなっていてもよいし、図９の（ｄ）に示すように試剤導入部３（または試剤導入路６）のある壁面が階段状になっていてもよい。
【００７１】
前記構成によれば、測定部が浅い場合であっても、試剤を導入するときの流線が試剤導入部の大気に開放された端部（または試剤導入孔）から試剤導入部（または試剤導入路）と測定部との接続端にかけて滑らかに形成されるため、試剤導入部（または試剤導入路）と測定部との接続端に試剤が滞留することなく、試剤中の成分の濃度が試剤導入部（または試剤導入路）と測定部で変わることを防ぐことができるので、精度の高い測定用器具を提供できる。
【００７２】
上記効果を図１０の（ａ）および（ｂ）を用いて説明する。図１０では、試剤中の成分が粒子３０であるとし、試剤を導入するときの流線を矢印で示す。図１０の（ａ）に示すように、試剤導入部３内での試剤の流線と測定部の浅い領域１ｓ内での試剤の流線とが垂直に交わる場合、試剤導入部３と測定部の浅い領域１ｓとの接続端において試剤（または試剤中の粒子３０）が滞留する虞がある。図１０の（ｂ）に示すように試剤導入部３が逆テーパー形状であれば、流線が試剤導入部３の大気に開放された端部から試剤導入部３と浅い領域１ｓとの接続端にかけて滑らかに形成されるため、試剤導入部３と浅い領域１ｓとの接続端における試剤（または試剤中の粒子３０）の滞留を防ぐことができる。よって、粒子３０の濃度が試剤導入部３と浅い領域１ｓで変わることを防ぐことができる。なお、上記効果は、測定部の深い領域１ｄにおいても同様である。
【００７３】
〔第３の実施形態〕
本発明の第３の実施形態について図１１に基づいて説明する。本実施形態に係る測定用器具は、試剤導入路６に、前記試剤中の成分を前記測定部で測定可能な状態にするための前処理剤を導入するための前処理路９が連結されている。前記構成によれば、試剤中の成分を測定部にて測定可能な状態にするための前処理操作が必要な場合であっても、測定用器具以外の外部器具を用いることなく、測定用器具のみで、試剤中の成分を測定できる。その他の構成については、第１および第２の実施形態に係る測定用器具と同様であって、これらの構成に関する説明は省略する。
【００７４】
＜前処理路９＞
前処理路９の構成は、試剤導入路６に前処理剤が導入できる構成であれば特に限定されない。また、前処理路９は前処理剤導入孔１１と試剤導入路６とを接続するものであってもよい。図１１の（ａ）〜（ｄ）は本実施形態に係る測定用器具１０の上面図であり、前処理路９の変形例を示している。図１１では、例として、隔壁を備え、試剤導入路６が分岐しており、測定部の深さの異なる領域１ｓおよび１ｄの各々が、試剤導出路８ａおよび８ｂ、ならびに試剤導出孔７ａおよび７ｂを備えている測定用器具１０を示している。
【００７５】
例えば図１１の（ａ）に示すように、前処理路９は試剤導入路６の分岐した一方と前処理剤導入孔１１とを接続していてもよい。また、例えば図１１の（ｂ）に示すように、試剤導入路６の分岐した一方と前処理剤導入孔１１ａとを接続する前処理路９ａ、および、試剤導入路６の分岐したもう一方と前処理剤導入孔１１ｂとを接続する前処理路９ｂが備えられていてもよい。
【００７６】
さらに、試剤導入路６の分岐した一方に複数の前処理路が接続されていてもよい。例えば図１１の（ｃ）および（ｄ）に示すように、前処理路９ａが連結されている試剤導入路６の分岐した一方と前処理剤導入孔１１ａ’とを接続する前処理路９ａ’、および、前処理路９ｂが連結されている試剤導入路６の分岐したもう一方と前処理剤導入孔１１ｂ’とを接続する前処理路９ｂ’を備えていてもよい。前処理路９ａと前処理路９ａ’とは、例えば図１１の（ｃ）に示すように、分岐した一方の試剤導入路６を挟んで反対側に連結されていてもよいし、例えば図１１の（ｄ）に示すように、分岐した一方の試剤導入路６に対して同じ方向に連結されていてもよい。前処理路９ｂと前処理路９ｂ’との位置関係も上記と同様である。
【００７７】
また、前記試剤中に赤血球が含まれている場合、前記前処理剤が、赤血球を溶血する溶血剤を含むことが好ましい。前記構成によれば、本発明の測定用器具に血液試剤を導入するだけで、赤血球が除去され、測定部において赤血球以外の成分（白血球等）の測定を行うことができる。
【００７８】
〔測定用器具１０を用いた測定方法〕
本発明に係る測定用器具は、測定部に格納された試剤中の成分に対して光を照射することによる前記試剤中の成分の測定に使用される。光の照射による測定には、例えば、試剤
に紫外光や可視光等の入射光を照射し、試剤中の成分の吸光度（試剤中の成分に吸収色素を標識する場合を含む）や試剤中の成分による散乱光（または散乱による入射光の減衰）を測定する方法、および、試剤中の成分を蛍光色素によって標識し、該成分に対して励起光を照射し、蛍光量を測定する方法等が挙げられる。
【００７９】
本発明に係る測定用器具１０を用いた測定方法について図１２〜図１４に基づいて説明する。図１２〜１４では、浅い領域の深さをＴ１とし、深い領域の深さをＴ２としている。
【００８０】
図１２は隔壁を備えていない測定用器具１０（図１の（ｂ）に対応する測定用器具１０）を用いた場合の測定方法を示している。図１２の（ａ）は相対的に高濃度の成分を含んでいる試剤が導入された測定用器具１０を示しており、図１２の（ｂ）は図１２の（ａ）の場合における測定結果を示している。また、図１２の（ｃ）は相対的に低濃度の成分を含んでいる試剤が導入された測定用器具１０を示しており、図１２の（ｄ）は図１２の（ｃ）の場合における測定結果を示している。
【００８１】
図１２の（ｂ）に示すように、試剤が相対的に高濃度の成分を含んでいる場合、深い領域では成分の信号値の真値は測定装置の測定可能な信号の範囲の上限（測定装置の検出上限）を超えてしまう。しかし、浅い領域では成分の信号値の真値を測定装置の測定可能な信号の範囲内に収めることができる。なお、成分の信号値とは、例えば上述した吸光度や散乱光、蛍光量等を表し、測定信号とも称する。
【００８２】
また、図１２の（ｄ）に示すように、試剤が相対的に低濃度の成分を含んでいる場合、浅い領域では成分の信号値の真値は測定装置の測定可能な信号の範囲の下限（測定装置の検出下限）を下回ってしまう。しかし、深い領域では成分の信号値の真値を測定装置の測定可能な信号の範囲内に収めることができる。
【００８３】
図１３は隔壁を備えている測定用器具１０（図２の（ｂ）に対応する測定用器具１０）を用いた場合の測定方法を示している。図１３の（ａ）は相対的に高濃度の成分を含んでいる試剤が導入された測定用器具１０を示しており、図１３の（ｂ）は図１３の（ａ）の場合における測定結果を示している。また、図１３の（ｃ）は相対的に低濃度の成分を含んでいる試剤が導入された測定用器具１０を示しており、図１３の（ｄ）は図１３の（ｃ）の場合における測定結果を示している。
【００８４】
隔壁を備えた測定用器具１０の場合も上述の図１２の場合と同様で、試剤が相対的に高濃度の成分を含んでいる場合、深い領域では成分の信号値の真値は測定装置の測定可能な信号の範囲の上限を超えるが、浅い領域では成分の信号値の真値を測定装置の測定可能な信号の範囲内に収めることができる（図１３の（ｂ））。
【００８５】
また同様に、試剤が相対的に低濃度の成分を含んでいる場合、浅い領域では成分の信号値の真値は測定装置の測定可能な信号の範囲の下限を下回るが、深い領域では成分の信号値の真値を測定装置の測定可能な信号の範囲内に収めることができる（図１３の（ｄ））。
【００８６】
すなわち、測定部の相対的に浅い領域が、相対的に濃度の高い成分を測定するための領域であり、測定部の相対的に深い領域が、相対的に濃度の低い成分を測定するための領域であることが好ましい。前記構成によれば、濃度の高い成分および濃度の低い成分の何れについても、測定精度を保つために必要な一定濃度の成分を測定部に保持させることができ、精度の高い測定用器具を提供できる。また、測定に先立つ希釈などが必要な場合であっても、希釈の比率（試剤と希釈液の体積比）を濃度の低い成分および濃度の高い成分で略同一にできるため、前処理操作の簡素化が可能となる。ここで、上述のように前記成分は粒子であってもよい。
【００８７】
また、本発明に係る測定用器具では、前記相対的に濃度の高い粒子の濃度をＣ１、該粒子の最大直径をＤ１とし、前記相対的に濃度の低い粒子の濃度をＣ２、該粒子の最大直径をＤ２とし、前記測定部の相対的に浅い領域の深さをＴ１、前記測定部の相対的に深い領域の深さをＴ２としたとき、
Ｔ１≧Ｄ１  かつ、
Ｔ２≧Ｄ２  かつ、
０．０１≦（Ｔ２／Ｔ１）／（Ｃ１／Ｃ２）≦１０
の関係を満たすことが好ましい。
【００８８】
前記構成によれば、粒子を測定部内に確実に導入することができ、濃度比が大きな粒子であっても測定部の深さに応じて、測定精度を保つために必要な一定数の粒子を測定部に保持することができ、精度の高い測定用器具を提供できる。すなわち、相対的に濃度の高い粒子を浅い領域に保持することで、成分の信号値が測定装置の測定可能な信号の範囲の上限を上回らない程度に粒子数を抑えることができる。また、相対的に濃度の低い粒子を深い領域に保持することで、成分の信号値が測定装置の測定可能な信号の範囲の下限を下回らない程度の粒子数を確保することができる。
【００８９】
前記相対的に濃度の低い粒子は白血球であり、前記相対的に濃度の高い粒子は赤血球または血小板であってもよい。前記構成によれば、本発明の測定用器具を、血液試剤中の白血球、赤血球および血小板の測定に利用することができる。
【００９０】
図１４の（ａ）〜（ｃ）は隔壁を備えている測定用器具１０を用いた粒子の測定方法を示しており、２種類の粒子を測定する例を示している。図１４の（ａ）に示す測定用器具１０は図２の（ｂ）に示す測定用器具１０に対応している。
【００９１】
前記粒子が沈降しない場合は、例えば図１４の（ｂ）に示すように粒子が測定部内に分散した状態で測定すればよい。ここで、上述のように、相対的に高濃度である粒子３０ａは浅い領域１ｓで測定することが好ましく、相対的に低濃度である粒子３０ｂは深い領域１ｄで測定することが好ましい。前記構成によれば、相対的に高濃度である粒子３０ａを、成分の信号値が測定装置の測定可能な信号の範囲の上限を上回らない範囲で保持することができ、相対的に低濃度である粒子３０ｂは深さ方向に十分な数の粒子が存在するので、成分の信号値が測定装置の測定可能な信号の範囲の下限を下回らない範囲で保持することができる。
【００９２】
前記粒子を沈降させる場合は、前記試剤が前記粒子と溶媒とを含み、前記粒子の前記溶媒に対する比重が、１よりも大きいことが好ましい。前記構成によれば、粒子を含む試剤を測定部に導入後、粒子が測定部底面に沈降する。
【００９３】
前記粒子が沈降する場合は、例えば図１４の（ｃ）に示すように粒子が測定部の底面に沈降した状態で測定すればよい。前記粒子が沈降する場合は、測定において、測定部の深さに応じた濃縮効果を働かせることができる。すなわち、相対的に低濃度の粒子３０ｂであっても、深さ方向に十分な粒子数が存在するため、深い領域１ｄの底面に十分な粒子数を沈降させることができる。つまり、底面において粒子を濃縮させることができる。よって、測定部面積を大きくすることなく、測定用器具の小型化を維持したまま、測定精度の高い粒子測定ができる。
【００９４】
また、例えば図１４の（ｃ）に示すように浅い領域１ｓおよび深い領域１ｄの底面が同一平面上にある場合は、粒子３０ａおよび粒子３０ｂが同一平面上に沈降するため、高さ方向の焦点合わせ機構が不要となる。
【００９５】
〔第４の実施形態〕
本発明の第４の実施形態について図１５〜１７に基づいて説明する。本発明に係る測定装置２０は、光源１２と検出素子１３とを備えていることを特徴とする、試剤中の成分を光学的に測定するための測定装置である。前記構成によれば、本発明に係る測定用器具の測定部に格納された試剤中の成分の有無または濃度を測定する測定装置を提供できる。その他の構成については、第１〜３の実施形態に係る測定用器具と同様であって、これらの構成に関する説明は省略する。
【００９６】
＜測定装置２０＞
図１５の（ａ）〜（ｄ）は本実施形態に係る測定装置の変形例を示す概略図である。
【００９７】
光源１２は、本発明に係る測定用器具１０の測定部１に格納された前記試剤中の成分に光を照射するためのものである。光源１２の例としてはレーザー、ＬＥＤ、ランプ等が挙げられる。また、検出素子１３は、前記成分から発せられる光、または、前記成分へ照射された光の照射前後の変化、を検出するためのものである。検出素子１３としては、測定方法に応じて蛍光検出器、吸光度検出器等を使用すればよく、例えば後述するマルチピクセル検出器を使用してもよい。
【００９８】
なお、光源１２は試剤中の成分に光を照射できる位置にあればよく、検出素子１３は前記成分から発せられる光、または、前記成分へ照射された光の照射前後の変化、を検出できる位置にあればよい。
【００９９】
吸光度を測定する場合は、光源１２および検出素子１３は測定用器具１０を挟んで反対側に位置していることが好ましい。また、光源１２および検出素子１３を結ぶ直線が深さ方向と平行であることが好ましい。
【０１００】
測定装置２０は、図１５の（ａ）に示すように、測定部１の浅い領域に対応する光源１２ａおよび検出素子１３ａ、ならびに、深い領域に対応する光源１２ｂおよび検出素子１３ｂを備えていてもよい。前記構成によれば深さの異なる領域の各々について測定を行うことができる。
【０１０１】
また、測定装置２０は、図１５の（ｂ）に示すように、測定部１の一部または全部を測定するためのスキャン機構１４を備えていてもよい。スキャン機構１４は、図１５の（ｂ）では矢印で表されており、該矢印の方向に光源１２および検出素子１３、または測定用器具１０を移動させるものである。前記構成によれば、測定部に導入された試剤中の成分の大部分もしくは全部を測定することができるので、精度の高い成分測定が可能となる。
【０１０２】
測定用器具１０が隔壁を備える構成である場合も、図１５の（ｃ）に示すように浅い領域１ｓに対応する光源１２ａおよび検出素子１３ａ、ならびに、深い領域１ｄに対応する光源１２ｂおよび検出素子１３ｂを備えていてもよく、図１５の（ｄ）に示すようにスキャン機構１４を備えていてもよい。
【０１０３】
なお、図１５の（ａ）〜（ｄ）において、光源および検出素子の位置関係は逆であってもよい。
【０１０４】
蛍光や散乱光を検出する場合は、蛍光や散乱光は入射光方向に対して全方向に発光されるため、検出素子は発光を受光できる位置に配置されればよい。例えば、入射光が直接検出素子に入射し、検出精度を低下させることを防ぐ目的で、図１６の（ａ）に示すように、検出素子１３ａおよび１３ｂを、上記深さ方向に対して平行でない位置（例えば上記深さ方向と直交する位置）に配置してもよい。すなわち、光源１２ａおよび１２ｂから光を照射する方向と、検出素子１３ａおよび１３ｂによって光を受光する方向とが直交していてもよい。
【０１０５】
また、吸光度を測定する場合であっても、例えば、図１６の（ｂ）に示すように測定用器具１０を挟んで光源１２ａおよび１２ｂとは反対側に設けられた反射ミラー等の反射素子１７ａおよび１７ｂを用いて、成分を通過した後の入射光を検出素子１３ａおよび１３ｂで受光する構成としてもよい。
【０１０６】
また、光源および検出素子は測定用器具に対して同一側に配置されていてもよい。上記構成により、試剤中の成分の測定を反射測定で行うことができる。反射測定により、吸光度検出の場合は光路長が略２倍となり、感度の高い測定が可能となる。また、上記構成によれば、蛍光や散乱を検出する場合は、入射光が直接検出素子に入射することを防ぐことができるので精度の高い測定が可能となる。吸光度測定など試剤中の成分によって、検出素子に直接光が戻ってこない場合は、測定部の底面に金属などの反射膜を設け、反射膜で光を反射させる構成としてもよい。
【０１０７】
図１７は、光源および検出素子が測定用器具に対して同一側に配置されている測定装置２０の概略図を示している。図１７の（ａ）では、光源１２ａおよび１２ｂから照射された光が、測定部１の底面の反射膜によって反射され、反射光が検出素子１３ａおよび１３ｂで受光される。図１７の（ｂ）では、光源１２ａおよび１２ｂから照射された光が、測定用器具１０を挟んで光源１２ａおよび１２ｂとは反対側に設けられた反射素子１７ａおよび１７ｂによって反射され、反射光が検出素子１３ａおよび１３ｂで受光される。
【０１０８】
〔第５の実施形態〕
本発明の第５の実施形態について図１８〜２０に基づいて説明する。本実施形態に係る測定装置には、前記光源と前記測定部との間の位置に備えられた、前記測定部に対して光を集光するための第１の集光素子、および、前記測定部と前記検出素子との間の位置に備えられた、前記検出素子に対して光を集光するための第２の集光素子、の少なくとも一方が備えられている。前記構成によれば、光源からの照射光または測定部に格納された試剤中の成分からの検出光を高精度に集光でき、精度の高い測定装置を提供できる。第１の集光素子および第２の集光素子としては例えばレンズ等が挙げられる。その他の構成については、第１〜３の実施形態に係る測定用器具および第４の実施形態に係る測定装置と同様であって、これらの構成に関する説明は省略する。
【０１０９】
＜集光素子＞
図１８の（ａ）および（ｂ）は、第１の集光素子１５ａを備えた測定装置２０の概略図を示している。図１８の（ａ）では、光源１２が測定部上面側に備えられており、検出素子１３が測定部底面側に備えられている例を示している。図１８の（ｂ）では、光源１２が測定部底面側に備えられており、検出素子１３が測定部上面側に備えられている例を示している。
【０１１０】
また、図１９の（ａ）および（ｂ）は、第２の集光素子１５ｂを備えた測定装置２０の概略図を示している。図１９の（ａ）では、光源１２が測定部上面側に備えられており、検出素子１３が測定部底面側に備えられている例を示している。図１９の（ｂ）では、光源１２が測定部底面側に備えられており、検出素子１３が測定部上面側に備えられている例を示している。
【０１１１】
さらに、図２０の（ａ）および（ｂ）は、第１の集光素子１５ａと第２の集光素子１５ｂとの両方を備えた測定装置２０の概略図を示している。図２０の（ａ）では、光源１２が測定部上面側に備えられており、検出素子１３が測定部底面側に備えられている例を示している。図２０の（ｂ）では、光源１２が測定部底面側に備えられており、検出素子１３が測定部上面側に備えられている例を示している。
【０１１２】
前記試剤中の成分が粒子である場合、前記第１の集光素子の焦点位置および前記第２の集光素子の焦点位置の少なくとも一方が、前記測定部の前記試剤を格納するための空間を取り囲む壁面のうちの少なくとも一面から前記測定部に格納された粒子の方向への距離が、前記粒子の最大直径以下の位置であることが好ましい。前記構成によれば、測定部に導入された試剤中の粒子が測定部底面に沈降し、粒子を光学的に測定するための集光素子の焦点位置が、沈降した粒子位置に配置されるため、複雑な焦点位置あわせ機構なしに粒子を高精度に測定できる。
【０１１３】
〔第６の実施形態〕
本発明の第６の実施形態について、図２１に基づいて説明する。本実施形態に係る測定装置では、前記検出素子はマルチピクセル検出器である。前記構成によれば、測定部に導入された試剤中の成分を、マルチピクセル検出器を用いてエリア状に一括測定できる（即ち、粒子径等に応じた高精度なスキャン機構が不要となり、測定装置２０を安価に提供できる。）。その他の構成については、第１〜３の実施形態に係る測定用器具および第４または第５の実施形態に係る測定装置と同様であって、これらの構成に関する説明は省略する。
【０１１４】
＜マルチピクセル検出器１６＞
マルチピクセル検出器１６としては、例えばＣＣＤおよびＣＭＯＳセンサ等が挙げられる。
【０１１５】
図２１は、マルチピクセル検出器１６を備えた測定装置２０の概略図である。図２１の（ａ）に示す測定装置２０では、光源１２から浅い領域１ｓおよび深い領域１ｄのそれぞれに格納された試剤中の成分に対して光を照射し、該光を第２の集光素子１５ｂによってマルチピクセル検出器１６に対して集光している。前記構成によれば、浅い領域１ｓおよび深い領域１ｄのそれぞれに格納された試剤中の成分に対して一括した測定することができる。また、測定装置２０は図２１の（ｂ）に示すように、スキャン機構１４を備えていてもよい。このときのスキャン機構は粒子径に応じたマイクロメーターオーダーの高精度な機構である必要はなく、測定部１（浅い領域１ｓおよび深い領域１ｄ）が検出範囲に入る程度のミリオーダーの機構でよい。前記構成によれば、光源１２、集光素子１５ｂおよびマルチピクセル検出器１６、または測定用器具１０を移動させることで測定を行うことができる。
【０１１６】
〔第７の実施形態〕
本実施形態に係る測定装置では、演算素子を備えている。その他の構成については、第１〜３の実施形態に係る測定用器具および第４〜６の実施形態に係る測定装置と同様であって、これらの構成に関する説明は省略する。
【０１１７】
＜演算素子＞
測定装置２０では、前記測定部の深さが異なっている複数の領域における前記成分の測定信号と、予め取得しておいた測定装置が測定可能な信号の範囲とを比較し、前記予め取得しておいた信号の範囲内にある前記測定信号を、前記成分の測定値として算出する第１の演算素子を備えていることが好ましい。前記構成によれば、測定装置の検出範囲内に収まる試剤中の成分の測定信号を確実に得ることができるので、試剤中の成分の精度の高い測定が可能となる。
【０１１８】
また、測定装置２０では、前記試剤中の成分が粒子である場合、前記検出素子によって測定した粒子の個数と、前記検出素子が測定した領域の体積とから、前記試剤中に含まれる粒子の濃度を算出する第２の演算素子を備えていることが好ましい。前記構成によれば、試剤中に含まれる粒子の濃度を精度よく算出することができる。
【０１１９】
なお、「検出素子が測定した領域の体積」とは、検出素子の焦点が合っている位置ではなく、検出素子が測定した領域の面積と測定部の深さを掛け合わせて算出される。
【０１２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２１】
〔まとめ〕
本発明に係る測定用器具は、上記の課題を解決するために、試剤中の成分を測定するための測定用器具であって、前記試剤を格納するとともに、前記格納された試剤中の成分に対して光を照射することにより前記試剤中の成分を測定する測定部を備え、前記光の透過方向における前記測定部の深さが異なっていることを特徴としている。
【０１２２】
前記構成によれば、光の透過方向における測定部の深さが異なるため、濃度が未知である成分であっても、成分の濃度が高い場合は測定部の相対的に浅い領域で、逆に、成分の濃度が低い場合は測定部の相対的に深い領域で測定することで、測定系の測定可能な信号の範囲内に前記成分の測定信号を収めることができ、試剤中の成分を定量的に測定することができる。そして、それ故に、試剤を測定系の測定可能な範囲に合うように希釈または濃縮処理する必要がなく、試剤を測定部に導入するだけで、成分の定量的な測定が可能となる。
【０１２３】
本発明に係る測定用器具では、前記測定部は、前記測定部の深さ方向と略平行な方向に、前記深さが異なる測定部に格納された複数の試剤がそれぞれ混じり合わないための隔壁を備えていることが好ましい。
【０１２４】
前記構成によれば、隔壁によって、測定部が複数の空間に分割されている。それ故に、測定前に成分の濃度範囲が分かっている場合には所定の深さの測定部にのみ試剤を導入すればよく、これによって、測定に用いる試剤の量を低減することができる。また、２種類以上の試剤を測定する場合には、測定時に、試剤同士が干渉し合うこと（例えば、混合すること）を防ぐことができる。
【０１２５】
本発明に係る測定用器具では、前記測定部の最浅部の深さをＴｓ、前記測定部の最深部の深さをＴｄとしたとき、
５  ≦  Ｔｄ／Ｔｓ  ≦  ５０００
の関係を満たしていることが好ましい。
【０１２６】
前記構成によれば、測定部の深さを大きく変化させることになる（換言すれば、非常に浅い領域と、非常に深い領域との両方を兼ね備えた測定部となる）。それ故に、試剤中に含まれる成分の濃度の範囲が広い場合であっても、試剤中に濃度差の大きい２つの成分が含まれている場合であっても、１つの測定用器具で確実に測定することができる。
【０１２７】
本発明に係る測定用器具では、前記測定部の前記試剤を格納するための空間を取り囲む壁面のうちの少なくとも一面が、略同一平面上に形成されていることが好ましい。
【０１２８】
前記構成によれば、試剤中の成分を略同一平面上に配置させることができる。それ故に、測定部の深さ方向の一部で測定を行う場合に、測定部の深さ方向における観察点の位置の違いによる誤差を生じず、精度の高い測定ができる。例えば、試剤を測定部に導入した後で、試剤中の成分が沈降する場合であっても、試剤中の成分を略同一平面上（例えば、測定部の底）に配置させることができるため、測定部の深さ方向の一部で測定を行う場合に、測定部の深さ方向における観察点の位置の違いによる誤差を生じず、精度の高い測定ができる。
【０１２９】
本発明に係る測定用器具では、同一の深さを有する溝または貫通孔が形成されている基板と、前記溝または貫通孔の少なくとも一部と重なり合う位置に貫通孔が形成されている、少なくとも１つ以上の基板と、を含み、前記溝および前記貫通孔によって前記測定部が形成されていることが好ましい。
【０１３０】
前記構成によれば、少なくとも２つ以上の基板を用いて測定用器具を形成することで、深さが大きく異なる測定部であっても、１つの測定用器具上に形成することができる。
【０１３１】
本発明に係る測定用器具では、前記測定部に連結され、前記測定部へ前記試剤を導入するための試剤導入部と、前記測定部に連結され、前記測定部から前記試剤を導出するための試剤導出部と、を備えていることが好ましい。
【０１３２】
前記構成によれば、測定部に試剤を効率的に導入することができる。また、測定部に対して、試剤を連続的または繰返し供給することができ、測定精度を上げることができる。
【０１３３】
本発明に係る測定用器具では、前記試剤は、液体であり、前記測定部の前記試剤を格納するための空間を取り囲む壁面が、該壁面と接触する前記試剤に対して親液性であり、前記試剤導出部の前記試剤と接触する少なくとも一部の領域が、前記試剤に対して撥液性であることが好ましい。
【０１３４】
前記構成によれば、試剤を毛管力によって測定部に導入でき、試剤導出部での表面張力により試剤が停止するので、ポンプなどの機構を必要とせず、簡易かつ確実に測定部に試剤を導入することができる。また、測定に用いる試剤の体積を測定部の容積と確実に等しくすることができ、測定精度（濃度測定）を上げることができる。
【０１３５】
本発明に係る測定用器具では、前記試剤導入部は、前記測定部に試剤を導入するための試剤導入孔と、前記試剤導入孔と前記測定部とを連結する試剤導入路と、からなり、前記試剤の前記試剤導入路内での移送方向と直交する方向における、前記試剤導入路の断面の形状が、前記試剤導入路と前記試剤導入孔との接続端から、前記試剤導入路と前記測定部との接続端に向かって逆テーパー形状であることが好ましい。
【０１３６】
前記構成によれば、測定部が浅い場合であっても、試剤を導入するときの流線が試剤導入孔から試剤導入路と測定部との接続端にかけて滑らかに形成されるため、試剤導入路と測定部との接続端に試剤が滞留することなく、試剤中の成分の濃度が試剤導入路と測定部で変わることを防ぐことができるので、精度の高い測定用器具を提供できる。
【０１３７】
本発明に係る測定用器具では、前記測定部は、前記測定部の深さ方向と略平行な方向に、前記深さの異なる測定部に格納された複数の試剤がそれぞれ混じり合わないための隔壁を備えており、前記試剤導入部は、前記測定部に試剤を導入するための試剤導入孔と、前記試剤導入孔と前記測定部とを連結する試剤導入路と、からなり、前記試剤導入路は、分岐構造を有し、前記分岐した前記試剤導入路の各々は、前記深さの異なる測定部の各々に連結していることが好ましい。
【０１３８】
前記構成によれば、深さの異なる２つ以上の測定部に、１つの試剤導入孔から同一の試剤を導入することができる。すなわち、測定部へ試剤を導入する工程を簡略化できる。また、「試剤導入孔の容積＞試剤導入路の容積」であるため、測定に必要な試剤の量を低減できる。さらに、２つ以上の測定部に確実に同一の組成（濃度）の試剤を導入することができる。
【０１３９】
本発明に係る測定用器具では、前記試剤導入部は、前記測定部に試剤を導入するための試剤導入孔と、前記試剤導入孔と前記測定部とを連結する試剤導入路と、からなり、前記試剤導入路には、前記試剤中の成分を前記測定部で測定可能な状態にするための前処理剤を導入するための前処理路が連結されていることが好ましい。
【０１４０】
前記構成によれば、試剤中の成分を測定部にて測定可能な状態にするための前処理操作が必要な場合であっても、測定用器具以外の外部器具を用いることなく、測定用器具のみで、試剤中の成分を測定できる。
【０１４１】
本発明に係る測定用器具では、前記試剤中の成分が、生体分子であることが好ましい。
【０１４２】
前記構成によれば、本発明の測定用器具を試剤中の生体分子の測定に用いることができる。
【０１４３】
本発明に係る測定用器具では、前記試剤中の成分が、粒子であることが好ましい。
【０１４４】
前記構成によれば、本発明の測定用器具を試剤中の粒子の測定に用いることができる。
【０１４５】
本発明に係る測定用器具では、前記試剤中の成分が、少なくとも２種類以上の粒子であり、前記２種類以上の粒子の何れか２種類の粒子の濃度が異なることが好ましい。
【０１４６】
前記構成によれば、本発明の測定用器具を、例えば、血液中の赤血球および白血球のような、濃度が大きく異なる２種類以上の粒子を含む試剤の測定に用いることができる。
【０１４７】
本発明に係る測定用器具では、前記測定部の相対的に浅い領域が、前記粒子のうち、相対的に濃度の高い粒子を測定するための領域であり、前記測定部の相対的に深い領域が、前記粒子のうち、相対的に濃度の低い粒子を測定するための領域であることが好ましい。
【０１４８】
前記構成によれば、濃度の高い粒子および濃度の低い粒子の何れについても、測定精度を保つために必要な一定数の粒子を測定部に保持させることができ、精度の高い測定用器具を提供できる。また、測定に先立つ希釈などが必要な場合であっても、希釈の比率（試剤と希釈液の体積比）を濃度の低い粒子および濃度の高い粒子で略同一にできるため、前処理操作の簡素化が可能となる。
【０１４９】
本発明に係る測定用器具では、前記相対的に濃度の高い粒子の濃度をＣ１、該粒子の最大直径をＤ１とし、前記相対的に濃度の低い粒子の濃度をＣ２、該粒子の最大直径をＤ２とし、前記測定部の相対的に浅い領域の深さをＴ１、前記測定部の相対的に深い領域の深さをＴ２としたとき、
Ｔ１≧Ｄ１  かつ、
Ｔ２≧Ｄ２  かつ、
０．０１≦（Ｔ２／Ｔ１）／（Ｃ１／Ｃ２）≦１０
の関係を満たすことが好ましい。
【０１５０】
前記構成によれば、粒子を測定部内に確実に導入することができ、濃度比が大きな粒子であっても測定部の深さに応じて、測定精度を保つために必要な一定数の粒子を測定部に保持することができ、精度の高い測定用器具を提供できる。
【０１５１】
本発明に係る測定用器具では、前記試剤は、前記粒子と溶媒とを含み、前記粒子の前記溶媒に対する比重が、１よりも大きいことが好ましい。
【０１５２】
前記構成によれば、粒子を含む試剤を測定部に導入した後、粒子が測定部の底面に沈降するので、測定において、測定部の深さに応じた濃縮効果を働かせることができる。つまり、測定部の底面において粒子を濃縮させることができる。そして、低濃度の粒子であっても、測定部の面積を大きくすることなく、測定用器具の小型化を維持したまま、測定精度の高い粒子測定ができる。
【０１５３】
本発明に係る測定用器具では、前記粒子が細胞であることが好ましい。
【０１５４】
前記構成によれば、本発明の測定用器具を、細胞の測定に利用することができる。
【０１５５】
本発明に係る測定用器具では、前記細胞が血球であることが好ましい。
【０１５６】
前記構成によれば、本発明の測定用器具を、血液試剤中の血球の測定に利用することができる。
【０１５７】
本発明に係る測定用器具では、前記相対的に濃度の低い粒子が白血球であり、前記相対的に濃度の高い粒子が赤血球または血小板であることが好ましい。
【０１５８】
前記構成によれば、本発明の測定用器具を、血液試剤中の白血球、赤血球および血小板の測定に利用することができる。
【０１５９】
本発明に係る測定用器具では、前記試剤中に赤血球が含まれており、前記前処理剤が、赤血球を溶血する溶血剤を含むことが好ましい。
【０１６０】
前記構成によれば、本発明の測定用器具に血液試剤を導入するだけで、赤血球が除去され、測定部において赤血球以外の成分（白血球等）の測定を行うことができる。
【０１６１】
本発明に係る測定装置は、上記の課題を解決するために、本発明に係る測定用器具の前記測定部に格納された前記試剤中の成分に光を照射するための光源と、前記成分から発せられる光、または、前記成分へ照射された光の照射前後の変化、を検出するための検出素子と、を備えていることを特徴としている。
【０１６２】
前記構成によれば、本発明に係る測定用器具の測定部に格納された試剤中の成分の有無または濃度を測定する測定装置を提供できる。
【０１６３】
本発明に係る測定装置では、前記光源と前記測定部との間の位置に備えられた、前記測定部に対して光を集光するための第１の集光素子、および、前記測定部と前記検出素子との間の位置に備えられた、前記検出素子に対して光を集光するための第２の集光素子、の少なくとも一方が備えられていることが好ましい。
【０１６４】
前記構成によれば、光源からの照射光または測定部に格納された試剤中の成分からの検出光を高精度に集光でき、精度の高い測定装置を提供できる。
【０１６５】
本発明に係る測定装置では、前記試剤中の成分が粒子であり、前記第１の集光素子の焦点位置および前記第２の集光素子の焦点位置の少なくとも一方が、前記測定部の前記試剤を格納するための空間を取り囲む壁面のうちの少なくとも一面から前記測定部に格納された粒子の方向への距離が、前記粒子の最大直径以下の位置であることが好ましい。
【０１６６】
前記構成によれば、測定部に導入された試剤中の粒子が測定部の底面に沈降し、粒子を光学的に測定するための集光素子の焦点位置が、沈降した粒子の位置に配置されるため、複雑な焦点位置あわせ機構なしに粒子を高精度に測定できる。
【０１６７】
本発明に係る測定装置では、前記検出素子が、マルチピクセル検出器であることが好ましい。
【０１６８】
前記構成によれば、測定部に導入された試剤中の成分を、マルチピクセル検出器を用いてエリア状に一括測定できる。
【０１６９】
本発明に係る測定装置では、前記測定部の一部または全部を測定するためのスキャン機構を備えていることが好ましい。
【０１７０】
前記構成によれば、測定部に導入された試剤中の成分の大部分もしくは全部を測定することができるので、精度の高い成分測定が可能となる。
【０１７１】
本発明に係る測定装置では、前記測定部の深さが異なっている複数の領域における前記成分の測定信号と、予め取得しておいた測定装置が測定可能な信号の範囲とを比較し、前記予め取得しておいた信号の範囲内にある前記測定信号を、前記成分の測定値として算出する第１の演算素子を備えていることが好ましい。
【０１７２】
前記構成によれば、測定装置が測定可能な信号の範囲内に収まる試剤中の成分の測定信号を確実に得ることができるので、試剤中の成分の精度の高い測定が可能となる。
【０１７３】
本発明に係る測定装置では、前記試剤中の成分が粒子であり、前記検出素子によって測定した粒子の個数と、前記検出素子が測定した領域の体積とから、前記試剤中に含まれる粒子の濃度を算出する第２の演算素子を備えていることが好ましい。
【０１７４】
前記構成によれば、試剤中に含まれる粒子の濃度を精度よく算出することができる。
【産業上の利用可能性】
【０１７５】
本発明は、例えば血液中の酵素および基質等の特定の成分の測定、血球等の細胞の計数等に利用することができる。
【符号の説明】
【０１７６】
１  ・・・測定部
１ｓ  ・・・浅い領域
１ｄ  ・・・深い領域
１ｄａ  ・・・さらに深い領域
１ｄ’  溝
１ｈ、１ｓｈ、１ｄｈ、１ｄｈ’  ・・・貫通孔
２  ・・・隔壁
３、３ａ、３ｂ  ・・・試剤導入部
４、４ａ、４ｂ  ・・・試剤導出部
５、５ａ、５ｂ  ・・・試剤導入孔
６、６ａ、６ｂ  ・・・試剤導入路
７、７ａ、７ｂ  ・・・試剤導出孔
８、８ａ、８ｂ  ・・・試剤導出路
９、９ａ、９ｂ、９ａ’、９ｂ’  ・・・前処理路
１０  ・・・測定用器具
１１、１１ａ、１１ｂ、１１ａ’、１１ｂ’  ・・・前処理剤導入孔
１２、１２ａ、１２ｂ  ・・・光源
１３、１３ａ、１３ｂ  ・・・検出素子
１４  ・・・スキャン機構
１５ａ  ・・・第１の集光素子
１５ｂ  ・・・第２の集光素子
１６  ・・・マルチピクセル検出器
１７ａ、１７ｂ  ・・・反射素子
２０  ・・・測定装置
３０  ・・・粒子
３０ａ  ・・・相対的に濃度の高い粒子
３０ｂ  ・・・相対的に濃度の低い粒子
１０１、１０２、１０３、１０４  ・・・基板
２００  ・・・試剤
【図１】
2015215164.tif 000003
【図２】
2015215164.tif 000004
【図３】
2015215164.tif 000005
【図４】
2015215164.tif 000006
【図５】
2015215164.tif 000007
【図６】
2015215164.tif 000008
【図７】
2015215164.tif 000009
【図８】
2015215164.tif 000010
【図９】
2015215164.tif 000011
【図１０】
2015215164.tif 000012
【図１１】
2015215164.tif 000013
【図１２】
2015215164.tif 000014
【図１３】
2015215164.tif 000015
【図１４】
2015215164.tif 000016
【図１５】
2015215164.tif 000017
【図１６】
2015215164.tif 000018
【図１７】
2015215164.tif 000019
【図１８】
2015215164.tif 000020
【図１９】
2015215164.tif 000021
【図２０】
2015215164.tif 000022
【図２１】
2015215164.tif 000023